(57)【要約】      （修正有）【課題】本発明は、運送時や使用直前までは、針管と針は針管内に挿入された形で針が動かないよう固定されていて、使用時クリップ等をはずしたりごみが出ることもなく、指先に大きな力をかけることなく、包装から針の挿入された針管を取り出した時、、容易に針管と針が自由になり、使用が可能になる針管付針の固定方法を提供することを目的とする。【解決手段】針管４と針柄１を有する針２とからなる針管付き針灸用針であって、針管４に針２を入れた状態のおおよその形にあわせて膨らませたプラスチックシート６と紙をあわせた包装形態において、この中に針管４に針２を挿入し、針柄部を少し出した状態にし、針管４の突出針柄部に近いところと、針柄１の上部を、包装材料のプラスチックシートに粘着させたことを特徴とする針管付き針２の固定方法。【選択図】図１
2006314726.tif 000002
【特許請求の範囲】
【請求項１】
針管と針柄を有する針とからなる針管付き針灸用針であって、針管に針を入れた状態のおおよその形にあわせて膨らませたプラスチックシートと紙をあわせた包装形態において、この中に針管に針を入れ、針柄部を少し出した状態で入れ、針管の突出針柄部に近いところと、針柄の上部を、包装材料のプラスチックシートに粘着させたことを特徴とする針管付き針の固定方法。
【請求項２】
上記包装材料のプラスチックシートに粘着させたことを特徴とする針管付き針の固定方法で包装した請求項１に記載した針管付き針。
【発明の詳細な説明】
【技術分野】
【０００１】  本発明は針灸治療に使用される針と針管の固定方法に関するものである。
【背景技術】
【０００２】  針治療において、針を皮膚に刺入させる方法として、針全体より短めに作られた針管を皮膚に垂直に密着させ、針先を皮膚方向に挿入し、針管より上に出た針柄を上から押し込めば、針は皮膚を切皮し、刺入される。この方法は管針法と呼ばれる方法で、針治療では広く行われている。【０００３】  近年、針灸治療用の針と針管は、衛生上使い捨て針を使用するようになり、針管に針を挿入した状態で個別包装し、滅菌操作がされて提供される機会が多くなった。このとき針管に挿入された針が、針管の中で移動し、包装材料を針先で破り、滅菌した針が汚染されたり、針先が折れ曲がる等の破損が起きないよう、使用直前までは針管と針は固定され、かつ使用時には針管の中を針は自由に動かせるようにならなければならない。【０００４】  従来この方法として、図６（ａ）乃至（ｂ）に示すように、針管４に針を挿入して針柄１と針管４の間隙にクリップ１０等の小物を挟んで動かなくする方法がある。この方法は製造時に針柄１と針管４の間隙にクリップ１０を挟む手数がかかる不都合がある。更に使用時にはこのクリップ１０をはずす煩わしさと、クリップ１０がごみとなる不都合がある。【０００５】  また、図７に示すように、針柄１と針管４をポリプロピレンでつくり、針柄１の突起１１と針管４の内側を超音波溶着させる方法が開示されている。【０００６】  また、図８に示すように針柄１をステンレスで作り、針管４をポリプロピレンで作りアロナルファ１２とアクリル系接着剤１３で剥離可能なように１２・１３の位置で針管と針柄を接着させた方法が開示されている。【０００７】
【特許文献１】特開平８−１０３１０
【特許文献２】特開平９−２８７５８
【特許文献３】特開平８−１５５００６
【発明の開示】
【発明が解決しようとする課題】
【０００８】  しかしながら、これらの方法は、使用直前まで針柄が針管に固着されているため、扱いやすい反面、針管から針柄を剥離させる時、図７・図８に示す溶着又は接着している方向からＤの方向に力を入れなければ剥離せずＥ方向からの力では剥離しない。よって円形の針管４と針柄１の接着方向から針柄に力を入れ剥離させなければならない。よって使用時力を入れる位置を探さなければならない不都合と、針柄と針管の溶着や接着が剥離可能といえ、運搬時の剥離を防ぐため、ある程度強く溶着や接着がされていて、多数本を使用する施術者は、剥離作業で指先の感覚を重視する施術者には不都合が生じる。【０００９】  本発明は、運送時や使用直前までは、針管と針は針管内に挿入された形で針が動かないよう固定されていて、使用時クリップ等をはずしたりごみが出ることもなく、指先に大きな力をかけることなく、包装から針の挿入された針管を取り出した時、、容易に針管と針が自由になり、使用が可能になる治療用針灸針の固定方法を提供することを目的とする。
【課題を解決するための手段】
【００１０】  本発明の針管付き針の固定方法は、針管と針柄を有する針とからなる針管付き針灸用針であって、針管に針を入れた状態のおおよその形にあわせて膨らませたプラスチックシートと紙をあわせた包装形態において、この中に針管に針を挿入し、針柄部を少し出した状態にし、針管４の突出針柄部に近いところと、針柄１の上部を、包装材料のプラスチックシートに粘着させたことを特徴とする針管付き針の固定方法である。【００１１】  本発明の針管付き針の固定方法は、上記包装材料のプラスチックシートに粘着させたことを特徴とする針管付き針の固定方法で包装された針灸針である。
【発明の効果】
【００１２】  本発明によれば、包装材料に粘着された針管及び針は、未使用時には包装材料の中で動く事なく、包装や滅菌処理する時、振動の多い搬送時にも針管及び針管内に挿入された針は動く事なく保持される。【００１３】  包装材料に剥離可能な状態で、粘着されている針管及び針は、使用時包装材料から取り出すために紙を剥離し、プラスチックシートを折り曲げる事により、包装材料から針管及び針がプラスチックシートから剥離し、包装材料からつまみ出せば針管の中を自由に動かせる針管と針が提供できる。
【発明を実施するための最良の形態】
【００１４】  以下に本発明の一実施例を図１〜図５に基づいて説明する。【００１５】  図２において、１は本発明の針具の一実施例である針灸針の針柄であり材質はステンレス、２は針、３は針先、４は針管で材質はポリプロピレンとし、その断面図を示す。針灸針は針柄と針及び針先をたした長さは、針管より長くできている。【００１６】  図３は包装材料とその形態を示し、（ａ）はプラスチックシート５で材質はＰＥＴ樹脂とする、６の部分は図２全体が入るおおよその形にあわせて膨らませてあり、６の周囲は包装するときののり代である。（ｂ）はそれを横から見たもので６のように膨らませてある。（ｃ）は紙７で（ａ）ののり代と貼り合わせ包装する。【００１７】  図４のように図２の針管付き針灸針を包装するが、このままでは針柄１、針２、針先３からなる針本体は左右に動き包装材料を針先で破り滅菌された針が汚染されたり、針先が折れ曲がる等の破損が起きたりする。【００１８】  そこで図１のごとく針管４を膨らませたプラスチックシート６の最下部に置き、針管に針を挿入し、針柄を半分程度出した状態で、針管４の突出針柄部に近い所８の位置と、針柄の上部９の位置に、包装材料のプラスチックシートの針管及び針柄の接触する部分にアクリル系粘着剤付の両面テープを貼り付ける。【００１９】  両面テープはプラスチックシートの８及び９の位置に面で粘着されるので比較的強く粘着される。これに対して針管及び針柄は円筒形なので、両面テープに粘着する部分は非常に小さい。よってプラスチックシートには比較的強く、針管及び針柄には比較的弱く粘着される。【００２０】  図５のごとく、使用時には包装材料７の紙を針管４の半分位の位置まで剥離し、包装材料下部Ａをしっかり持って、プラスチックシート上部Ｂを持ち紙で封をされていた方向と逆の方にＣに向かって折り曲げる。このとき、粘着部８と９は引っ張られて剥離する。【００２１】  このとき両面テープは強く粘着しているプラスチックシートに残り、針管及び針柄には粘着剤は全く残らず以後の操作に支障をきたさない。【００２２】  針管はＡ部で包装材料５の外側からつかまれているため、動く事はない。針は針柄部の９で包装材料に固定されていたが、包装材料から剥がされることにより自由となり、針管４の中に落ちる。このとき針先３は包装材料６をつつくが、固定されていた位置から、数ミリ落ちるだけで且つ針本体の自重だけなので、包装材料を突き破ることも針先を傷つけることもない。【００２３】  針柄１と針２及び針先３を足した長さは、針管４より長くできているため、このとき針管から針柄は出ているので針管上部をつまむと針柄も同時につまめる。これを包装材料からつまみ出せば針管の中を自由に動かせる針管と針が提供できる。【００２４】  前記実施例では、針柄はステンレスを針管はポリプロピレン、包装材料にＰＥＴ樹脂、粘着剤にアクリル系両面テープを夫々用いたものであるが、本発明はこれらに限定されるものではなく、針柄１としては、ポリプロピレン、ポリカーボネイト、アルミ、ニッケルまたはクロムめっき真鍮等を、また針管４としては、ポリエチレン、ポリカーボネイト、アクリル樹脂、ガラス、ステンレス管等を、包装材料としてはポリエチレン、��化ビニール等を、粘着剤としては、ゴム系やシリコーン系の粘着剤、また両面テープでなく、直接プラスチックシートに粘着剤を塗布することも可能である。さらに粘着ではなく接着剤でもプラスチックシートに強く接着し、針管及び針柄の材質に弱接着するものを選べば使用可能である。このように前記実施例と材質が異なるものを使用するときは、本発明の技術思想に従って、夫々の材質の特性を加味し適宜選択して使用する。
【図面の簡単な説明】
【００２５】
【図１】本発明の実施の形態の一例を示す全体図
【図２】針管と針の断面図
【図３】包装材料（ａ）と（ｂ）はプラスチックシートの正面図と側面図、（ｃ）は紙の正面図
【図４】針管と針の包装図
【図５】本発明の使用時の一例を示す全体図
【図６】従来技術の（ａ）側面断面図と（ｂ）正面断面図
【図７】従来技術断面図
【図８】従来技術断面図
【符号の説明】
【００２６】１  針柄、２  針、３  針先、４  針管、５  包装材料プラスチックシート正面図
６  包装材料プラスチックシート膨らませ部、７  包装材料紙、８  針管との粘着部
９  針柄との粘着部、１０  クリップ、１１  超音波溶着部、１２  アロナルファ
１３  アクリル系接着剤、Ａ  持ち部、Ｂ  剥がし部、Ｃ  剥がし方向、Ｄ  剥離方向
Ｅ  剥離不可方向
【図１】
2006314726.tif 000003
【図２】
2006314726.tif 000004
【図３】
2006314726.tif 000005
【図４】
2006314726.tif 000006
【図５】
2006314726.tif 000007
【図６】
2006314726.tif 000008
【図７】
2006314726.tif 000009
【図８】
2006314726.tif 000010